(57)【要約】【課題】  発泡機本体は、放射ノズルまでを覆う長さであるために、必要以上に発泡機本体が大きくなる。そのため、一般に鋼板からなる発泡機本体は、全長が大きい分重くなるという問題があった。【解決手段】  発泡機本体の長さを、発泡機本体の先端部と放射ノズル間の長さよりも短く形成し、放射ノズルを外部に露出させた。また、露出させた放射ノズルの周囲を不燃性の布で覆宇ことによって、従来の発泡機本体と比較して、発泡機本体を軽量化できる。【選択図】図２
2010099277.tif 000002
【特許請求の範囲】
【請求項１】
筒状に形成された発泡機本体と、該発泡機本体の先端側に設けられた発泡用網と、前記発泡機本体の後端側に設けられ、前記発泡用網に向って円錐状に広がる放射パターンで泡水溶液を放射する放射ノズルと、を備えた発泡機において、
前記発泡機本体の長さは、前記発泡機本体の先端部と前記放射ノズル間の長さよりも短く形成され、前記放射ノズルが外部に露出していることを特徴とする発泡機。
【請求項２】
前記放射ノズルから放射された放射パターンの外周が、前記発泡機本体の内壁に当たる位置は、前記発泡機本体の後端部であることを特徴とする請求項１記載の発泡機。
【請求項３】
前記発泡機本体の後端部から、前記放射ノズルの間に、不燃性の布を筒状に設けたことを特徴とする請求項２記載の発泡機。
【請求項４】
前記発泡機本体の後端部から、前記放射ノズルの間に、パンチングメタルを筒状に設けたことを特徴とする請求項２記載の発泡機。
【発明の詳細な説明】
【技術分野】
【０００１】
この発明は、工場、倉庫、石油タンクのピット、石油コンビナートのカルバート、或いは、船室、船倉等に用いられる、高膨張泡消火設備の発泡機に関するものである。
【背景技術】
【０００２】
泡消火設備では、放射ノズルから泡水溶液を放射し、それを発泡用網に衝突させて空気を吸い込むことにより発泡させ、この泡で火源を埋め尽くして窒息消火を行っている。ここで泡水溶液と生成された泡の体積比を示す発泡倍率が、８０以上１０００未満となるものを、高膨張泡消火設備という。
【０００３】
従来の高膨張泡消火設備は、筒状に形成された発泡機本体と、発泡機本体の先端側に設けられた発泡用網と、発泡機本体内部の後端側に設けられ、前記発泡用網に向って円錐状に広がる放射パターンで泡水溶液を放射する放射ノズルを有する発泡機を備えている（例えば、特許文献１参照）。
【０００４】
この高膨張泡消火設備では、発泡機によって高膨張泡を発生させるために、放射ノズルの上流側から大量の空気を取り込む必要がある。そのため、発泡網と放射ノズルを離して設けることで、円錐状に放射された泡水溶液の外周面と空気の接触面積を大きくし、多量の空気を取り込めるようにしている。
【特許文献１】特開２００８−３６３６１号公報
【発明の開示】
【発明が解決しようとする課題】
【０００５】
上記高膨張泡消火設備の発泡機は、発泡機本体の全長を長くし、泡水溶液の放射角を鋭角にすることで、円錐状に放射された泡水溶液の外周面と、空気の接触面を大きくしている。
【０００６】
従来技術では、放射ノズルから放射された泡水溶液は、ノズルの放水軸芯上のものは直接発泡網に当たるが、放射パターンの外周部分の泡水溶液は、発泡機本体の長手方向のほぼ中心の内壁に当たる。つまり、円錐状で放射されることから、発泡機本体の後端側、例えば放射ノズルの近傍の発泡機本体には泡水溶液が当たらない部分がある。このように、発泡機本体は、放射ノズルまでを覆う長さであるために、必要以上に発泡機本体が大きくなる。そのため、一般に鋼板からなる発泡機本体は、全長が大きい分重くなるという問題があった。
【０００７】
この発明は、上記事情に鑑み、発泡網と放射ノズルの間の長さよりも発泡機本体の長さを短く形成したことで、発泡機本体を小型軽量化することを目的とする。
【課題を解決するための手段】
【０００８】
筒状に形成された発泡機本体と、発泡機本体の先端側に設けられた発泡用網と、発泡機本体内部の後端側に設けられ、発泡用網に向って円錐状に広がる放射パターンで泡水溶液を放射する放射ノズルと、を備えた発泡機において、発泡機本体の長さは、発泡機本体の先端部と放射ノズル間の長さよりも短く形成され、放射ノズルが外部に露出していることを特徴とする。
【発明の効果】
【０００９】
この発明は、以上の様に、発泡網と放射ノズルの間の長さより発泡機本体の長さを短く形成したので、発泡機本体を小型軽量化できる。
【００１０】
また、放射パターンの外周が、発泡機本体の内壁に当たる位置を、発泡機本体の後端部としたので、放射ノズルから放射された泡水溶液の全てを発泡網に当てることができ、且つ、発泡機本体を最も短い長さにできるので、発泡機本体を小型軽量化できる。
【００１１】
また、発泡機本体の後端部から、放射ノズルの間に不燃性の布を筒状に設けたので、従来の発泡機と比較して、軽量化できるだけでなく、放射ノズルに直接外力がかかり難くなると共に、放射パターンに直接気流が当たるのを防止できる。また、放射ノズルが外部から直視できないので、発泡機の美観を損ねない。
【００１２】
また、発泡機本体の後端部から、放射ノズルの間にパンチングメタルを筒状に設けたので、従来の発泡機と比較して、軽量化できるだけでなく、フレームなどを設けることなく、後端部と放射ノズルの間を覆うことができるので、放射パターンに直接気流が当たるのを防止できる。また、放射ノズルが外部から直視できないので、発泡機の美観を損ねない。
【発明を実施するための最良の形態】
【００１３】
以下本発明の実施の形態を、図面を用いて説明する。図１は本発明の第1実施形態の発泡機の横断面図、図２は本発明の第２実施形態の発泡機の横断面図、図３は本発明の第３実施形態の発泡機の横断面図である。
【００１４】
１は筒状に形成された発泡機本体で、その素材は、火災の熱によって溶解するもので無ければよく、一般に金属、例えば鋼板によって作られている。
【００１５】
発泡機本体１の先端側には山型に折り曲げられた発泡用網２が設けられている。
【００１６】
発泡機本体１の後端側には、発泡用網２に向って円錐状に広がる放射パターンPで泡水溶液を放射する放射ノズル３が設けられている。
【００１７】
発泡機本体１の長さＬは、発泡機本体１の先端部Fと放射ノズル３間の長さよりも短く形成されている。より詳しく述べると、放射ノズル３から放射された泡水溶液の放射パターンＰの外周が、発泡機本体１の内壁に当たる位置が、発泡機本体１の後端部Ｒの位置になるように、発泡機本体１の長さＬは調整されている。
【００１８】
放射ノズル３は、発泡機本体１の後端部Rより後端側の外部に露出した位置に設けられている。より詳しく述べると、放射ノズル３は、発泡網２から十分な放射距離を置いて、発泡機本体１の後端部Rより後端側（図の右側）であって、放射ノズル３から放射される放射パターンPの外周が、発泡機本体１の後端部Rの内壁４に当たる位置に露出して設けられる。
【００１９】
この放射距離は、放射ノズルより放射された泡水溶液が、空気を十分に含んだ状態で、発泡網に当たる程度の距離である。より詳しく述べると、放射ノズル３より円錐状に放射された泡水溶液は、その勢いによって、泡水溶液と接する部分の空気を巻き込む。そして、泡水溶液が十分に空気を含んだ状態で発泡網２に当たるので、所定の時間内に大量の泡が生成できる。
【００２０】
なお、発泡機本体１の後端部Ｒの位置が、放射ノズル３より円錐状に放射された泡水溶液が発泡機本体１の内壁４に当たる位置よりも先端側にあると、放射した泡水溶液の一部は、発泡機本体１の外側に放射されるので好ましくない。従って、十分な放射距離をとりながら、放射された泡水溶液が全て発泡機本体１内に放射されるように、発泡機本体１の長さと、放射ノズル３の設置位置を調整することが望ましい。
【００２１】
５は発泡機本体１を天井に固定する固定具で、発泡機本体１の天板に溶接によって取付けられており、天井や、梁などにボルトとネジによって固定される。
【００２２】
８は給水本管で、天井下面に水平に設けられ、この給水配管８から分岐管９を垂直に降ろして、放射ノズル３が接続されている。
【００２３】
放射ノズル３と発泡機本体１は完全に分離して設けられているが、垂直に設けられた分岐管９と放射ノズル３との間に、水平方向の距離を調整するアジャスタ１０（もしくは水平方向に伸び縮みする伸縮継手等）を設け、これを調整することで、放射ノズル３から放射された泡水溶液が、発泡機本体１の後端部Ｒに全て放射されるように、放射ノズル３の位置を調整することができる。
【００２４】
次に、図１を用いて本実施形態の作動について説明する。室内で火災が発生すると、図示しない火災感知器が火災を検知し、図示しない制御盤に火災信号を送出し、制御盤は、高膨張泡消火設備を起動させる。そうすると、図示しないポンプが作動し、原液タンク内の泡原液が、混合器によって水に対して一定濃度に混合され、泡水溶液が生成される。生成された泡水溶液は、ポンプによって放射ノズル３に供給され、放射ノズル３から泡水溶液が放射される。その放射に伴って、発泡機本体１に消火区画の空気、即ち、発泡機本体１が配設されている近傍の部屋の空気が吸引される。これにより、放射された泡水溶液の大部分は、放射ノズル３と発泡網２の間で放射速度を落とした後、十分に空気を含んだ状態で発泡網２に当たり発泡する。
【００２５】
また、その円錐状に広がる放射パターンＰで放射された泡水溶液の外周は、発泡網２に当たる前に発泡機本体１の内壁４に当たった後、内壁に沿って流れてから発泡網２に当たる。つまり、発泡網２と放射ノズル３の距離が離れている場合でも、発泡機本体１によって、円錐状に放射された泡水溶液の全てが発泡網２に当たるので、所定の時間内に大量の泡が生成できる。
【００２６】
従って、本発明の発泡機によれば、従来の発泡機本体１と比較して、所定の発泡倍率を確保しつつ、発泡機本体１をより小型軽量化できるため、発泡機を取付ける際の施工性が向上する。より詳しく述べると、本発明は、放射ノズル３から放射された泡水溶液が、発泡機本体１の内壁４に当たる部分より後端側を省いた構成としたので、発泡機本体１全体の重量を軽くすることができ、また省いた部分は放射した泡水溶液の当たらない部分であるので、従来と同様に、放射ノズル３から放射された泡水溶液は、発泡機本体１の内壁４に当たって、その後内壁４に沿って流れたあと、発泡網２に当たり、全ての泡水溶液が無駄なく発泡機本体１内に入る。そのため、発泡機本体１の施工性や運搬性が向上される。
【００２７】
続いて、発泡機本体１の他の実施形態を、図２を用いて説明する。なお、実施形態１と同じ部分には、同じ符号をつけて説明を省略する。
【００２８】
実施形態１と本実施形態の違いは、発泡機本体１の後端部Rから、放射ノズル３の間に、不燃性の布を筒状に設けた点が異なっている。
【００２９】
６は発泡機本体１と接続される複数本のフレームで、発泡機本体１の後端部Rと溶接によって接続されている。このフレーム６は、発泡機本体１の後端部Rから放射ノズル３の根元の位置まで発泡機本体１の延長上に、天井面と水平に設けられている。
【００３０】
７は複数本のフレーム６を覆うように設けられた不燃性の布、例えばシリカクロスで、フレーム６の全長に亘って設けられている。つまり、従来の発泡機本体の後ろ側半分を不燃性の布で構成したものと同様な形状となる。発泡機本体１と放射ノズル３は分離して設けられているが、フレーム６を利用して発泡機本体１と放射ノズル３を接続固定してもよい。
【００３１】
従って、本発明の発泡機によれば、発泡機本体１の後端部から放射ノズル３の根元までが、不燃性の布７によって覆われるので、従来の発泡機よりも軽量な上、外部から放射ノズル３を直視できないので、美観を損ねることが無い。また、泡水溶液の放射パターンＰが外部に露出しないので、外気の影響を受け難くなる。
【００３２】
上記不燃性の布７は、発泡機本体１よりも軽量なものであれば良く、例えばパンチングメタルや、金属メッシュのようなものでも良い。パンチングメタルや金属メッシュのようなものは、ある程度の剛性を有しているので、不燃性の布のように、別途フレームを設ける必要がない。
【００３３】
続いて、発泡機本体１の他の実施形態を、図３を用いて説明する。なお、実施形態１と同じ部分には、同じ符号をつけて説明を省略する。実施形態１と本実施形態の違いは、発泡機本体１をフレーム状の発泡機本体１ａとし、発泡機本体１ａを筒状の不燃性の布１１で覆い、さらに、発泡機本体１ａの後端部Rに泡水溶液の放出速度を低下させるための発泡用補助ネット１２を設けた点が異なっている。
【００３４】
１ａは、フレームからなる箱状の発泡機本体で、軽量な金属、例えばアルミからなる。
【００３５】
１１は不燃性の布１１で、発泡機本体１ａの上面、底面、及び側面を覆っている。不燃性の布１１は、発泡機本体１ａとリベットによって、たるみが無いように張設されている。
【００３６】
１２は発泡用補助ネットで、放射ノズル３から放射された泡水溶液が、発泡機本体１の内壁４に当たる部分に設けられている。この発泡用補助ネットは、金属メッシュによって、発泡機本体１ａの断面を満たすような大きさとなっている。
【００３７】
従って、本発明の発泡機によれば、発泡用補助ネット１２によって、放射ノズル３から放出された泡水溶液の勢いが低下する。つまり、発泡機本体１ａ内を流れる泡水溶液の放射速度が低下する。そのため、発泡機本体１ａは強度が小さくても良いので、布を使用することができ、従来の発泡機と比較して、より軽量化でき、施工性や運搬性が向上する。
【図面の簡単な説明】
【００３８】
【図１】本発明の第１実施形態の発泡機の横断面図。
【図２】本発明の第２実施形態の発泡機の横断面図。
【図３】本発明の第３実施形態の発泡機の横断面図。
【符号の説明】
【００３９】
１  発泡機本体、２  発泡網、３  放射ノズル、４  内壁、５  固定部、６  フレーム、７  不燃性の布、８  給水本管、９  分岐管、１０  アジャスタ、１１  布、１２  発泡用補助ネット、Ｐ  放射パターン、Ｆ  発泡機先端部、Ｒ  発泡機後端部、Ｌ  発泡機本体の長さ
【図１】
2010099277.tif 000003
【図２】
2010099277.tif 000004
【図３】
2010099277.tif 000005